(57)【特許請求の範囲】
【請求項１】
物体側より順に正の屈折力の第１群、負の屈折力の第２群、絞り、正の屈折力の第３群、正の屈折力の第４群より構成され、広角端から望遠端への変倍に際して、前記第１群と前記第３群は不動であり、前記第２群が像面側へ移動し、前記第４群は物体側に凸状の軌跡を有するように移動し、合焦に際して前記第４群が移動し、前記第２群は、物体側から順に、物体側に凸面を向けたメニスカス状の負の第２１レンズ、両レンズ面が凹面の負の第２２レンズ、両レンズ面が凸面の正の第２３レンズと負の第２４レンズとを接合した貼合わせレンズより構成され、前記第３群は非球面を有する１枚の正レンズより構成され、前記第２３レンズの材質のアッベ数をν２３、前記第２４レンズの材質のアッベ数をν２４、前記第２レンズ群の焦点距離をｆ２、前記第２３レンズと前記第２４レンズとの接合レンズ面の曲率半径をＲ２３４とするとき、
１５＜（ν２４−ν２３）＜３０
４．１≦Ｒ２３４／ｆ２≦７．４
なる条件を満足することを特徴とするリヤーフォーカス式のズームレンズ。
【請求項２】
前記第２２レンズの像側のレンズ面の曲率半径をＲ２２２、前記第２３レンズの物体側のレンズ面の曲率半径をＲ２３１とするとき、
０＜Ｒ２３１／Ｒ２２２＜０．５
なる条件を満足することを特徴とする請求項１に記載のリヤーフォーカス式のズームレンズ。
【請求項３】
請求項１または２に記載のリヤーフォーカス式のズームレンズを有することを特徴とする光学機器。
【発明の詳細な説明】
【０００１】
【発明の属する技術分野】
本発明は、リヤーフォーカス式のズームレンズ及びそれを用いた光学機器に関し、特にビデオカメラやフィルムカメラ、そして放送用カメラ等に好適に用いられる高変倍比でありながら、大口径比であり、構成するレンズ枚数が比較的少ないリヤーフォーカス式のズームレンズ及びそれを用いた光学機器に関するものである。
【０００２】
【従来の技術】
従来よりビデオカメラや写真カメラ等の光学機器に用いられるズームレンズにおいて、物体側の第１レンズ群以外のレンズ群を移動させてフォーカスを行なう所謂リヤーフォーカス式を採用したものが種々提案されている。一般にリヤーフォーカス式ズームレンズは比較的小型軽量のレンズ群を移動させて焦点合せを行なう為にフォーカスレンズ群の駆動力が小さくなり、迅速な焦点合せが出来る等の特長がある。
【０００３】
例えば、特開昭６２−２４２１３号公報、特開平２−４８６２１号公報、そして特開平４−４３３１１号公報などでは、物体側より順に正の屈折力の第１レンズ群、変倍作用の負の屈折力の第２レンズ群、正の屈折力の第３レンズ群、そして正の第４レンズ群の４つのレンズ群を有し、前記第１、第３レンズ群の各レンズ群を固定とし、前記第２レンズ群を光軸に沿って移動させて変倍を行い、前記第４レンズ群を変倍に伴う像面位置変動を補正するように光軸に沿って移動させるとともに、該第４レンズ群を移動させて合焦を行うリヤーフォーカス式ズームレンズが提案されている。
【０００４】
又、特開昭６３−２９７１８号公報では、物体側より順に正の屈折力の第１群と、負レンズ、負レンズ、正レンズの３枚のレンズにて構成され、全体として負の屈折力で変倍時に可動であって主として変倍をつかさどる第２群と、正の屈折力を有し非球面を含む第３群と、少し大きな空気間隔をあけて正の屈折力を有し変倍に伴う像面変動を補正し、合焦のために移動する第４群より構成したズームレンズを開示している。
【０００５】
又、特開平５−７２４７２号公報では、物体側より順に正の屈折力で固定の第１群、負の屈折力で変倍のための第２群、固定で集光作用を有し正の屈折力の第３群、像面位置を維持するために光軸上を移動する正の屈折力の第４群を有する非球面を用いたズームレンズを開示している。同公報において第２群はメニスカス状の負レンズと両凹レンズと正レンズを配し、第３群は１面以上の非球面である単レンズから構成され、第４群は１面以上の非球面を有するレンズで構成されている。
【０００６】
【発明が解決しようとする課題】
一般にズームレンズにおいてリヤーフォーカス方式を採用するとレンズ系全体が小型化され、又、迅速なるフォーカスが可能となり、更に近接撮影が容易になる等の特長が得られる。
【０００７】
しかしながら反面、フォーカスの際の収差変動が大きくなり、無限遠物体から近距離物体に至る物体距離全般に渡り高い光学性能を得るのが大変難しくなってくる。
【０００８】
特に大口径比で高変倍比のズームレンズでは機構の簡素化を図りつつ、全変倍範囲にわたり、又、物体距離全般にわたり高い光学性能を得るのが大変難しくなってくる。
【０００９】
例えば、先の特開昭６２−２４２１３号公報で提案されているリヤーフォーカス式のズームレンズの実施例をみると、変倍の機能を有する第２レンズ群は、物体側より順に物体側に凸面を向けたメニスカス状の負の単レンズ、両レンズ面が凹面の負レンズと正レンズとを接合した貼合せレンズより構成されている。該貼合せレンズは主に軸上の色収差、球面収差および軸外のコマ収差の補正を行なっている。
【００１０】
前記ズームタイプにおいて更に小型化、高変倍化を図ろうとして第２レンズ群の屈折力を強めると、該第２レンズ群の貼合せレンズ面での収差補正の負担が大きくなり過ぎ、全ズーム域で高性能を実現するのが困難となる。
【００１１】
また、該第２レンズ群の屈折力を強めると、該第２レンズ群を構成する各レンズの曲率が小さくなると共に高次の収差発生量が増加し、ズーム全域で良好に収差補正を行うことが困難になってくる。
【００１２】
本発明は、レンズ系全体を小型化し、高変倍比であるにもかかわらず高い光学性能を有し、かつレンズの構成枚数を減らした簡易な構成のレンズ全長の短いズームレンズ及びそれを用いた光学機器の提供を目的とする。
【００１３】
【課題を解決するための手段】
請求項１の発明のリヤーフォーカス式のズームレンズは、物体側より順に正の屈折力の第１群、負の屈折力の第２群、絞り、正の屈折力の第３群、正の屈折力の第４群より構成され、広角端から望遠端への変倍に際して、前記第１群と前記第３群は不動であり、前記第２群が像面側へ移動し、前記第４群は物体側に凸状の軌跡を有するように移動し、合焦に際して前記第４群が移動し、前記第２群は、物体側から順に、物体側に凸面を向けたメニスカス状の負の第２１レンズ、両レンズ面が凹面の負の第２２レンズ、両レンズ面が凸面の正の第２３レンズと負の第２４レンズとを接合した貼合わせレンズより構成され、前記第３群は非球面を有する１枚の正レンズより構成され、前記第２３レンズの材質のアッベ数をν２３、前記第２４レンズの材質のアッベ数をν２４、前記第２レンズ群の焦点距離をｆ２、前記第２３レンズと前記第２４レンズとの接合レンズ面の曲率半径をＲ２３４とするとき、
１５＜（ν２４−ν２３）＜３０
４．１≦Ｒ２３４／ｆ２≦７．４
なる条件を満足することを特徴としている。
【００１４】
請求項２の発明は請求項１の発明において、前記第２２レンズの像側のレンズ面の曲率半径をＲ２２２、前記第２３レンズの物体側のレンズ面の曲率半径をＲ２３１とするとき、
０＜Ｒ２３１／Ｒ２２２＜０．５
なる条件を満足することを特徴としている。
【００１５】
請求項３の発明の光学機器は、請求項１または２に記載のリヤーフォーカス式のズームレンズを有することを特徴としている。
【００２２】
【発明の実施の形態】
図１は本発明のリヤーフォーカス式のズームレンズの実施形態１の要部断面図、図２，図３，図４は実施形態１の広角端，中間，望遠端のズーム位置における収差図である。
【００２３】
図５は本発明のリヤーフォーカス式のズームレンズの実施形態２の要部断面図、図６，図７，図８は実施形態２の広角端，中間，望遠端のズーム位置における収差図である。
【００２４】
図９は本発明のリヤーフォーカス式のズームレンズの参考例１の要部断面図、図１０，図１１，図１２は参考例１の広角端，中間，望遠端のズーム位置における収差図である。
【００２５】
図１３は本発明のリヤーフォーカス式のズームレンズの実施形態３の要部断面図、図１４，図１５，図１６は実施形態３の広角端，中間，望遠端のズーム位置における収差図である。
【００２６】
図１７は本発明のリヤーフォーカス式のズームレンズの参考例２の要部断面図、図１８，図１９，図２０は参考例２の広角端，中間，望遠端のズーム位置における収差図である。
【００２７】
図２１は本発明のリヤーフォーカス式のズームレンズの実施形態４の要部断面図、図２２，図２３，図２４は実施形態４の広角端，中間，望遠端のズーム位置における収差図である。
【００２８】
図２５は本発明のリヤーフォーカス式のズームレンズの実施形態５の要部断面図、図２６，図２７，図２８は実施形態５の広角端，中間，望遠端のズーム位置における収差図である。
【００２９】
図中Ｌ１は正の屈折力の第１群、Ｌ２は負の屈折力の第２群、Ｌ３は正の屈折力の第３群、Ｌ４は正の屈折力の第４群である。ＳＰは開口絞りであり、第３群Ｌ３の前方に配置している。Ｇは色分解プリズムやフェースプレートやフィルター等のガラスブロックである。ＩＰは像面であり、ＣＣＤ等の撮像素子が配置されている。
【００３０】
本実施形態では広角端から望遠端への変倍に際して矢印のように第２群を像面側へ移動させると共に、変倍に伴う像面変動を第４群の一部又は全部（本実施形態では全部）を物体側に凸状の軌跡を有しつつ移動させて補正している。
【００３１】
又、第４群の一部又は全部（本実施形態では全部）を光軸上移動させてフォーカスを行うリヤーフォーカス式を採用している。同図に示す第４群の実線の曲線４ａと点線の曲線４ｂは各々無限遠物体と近距離物体にフォーカスしているときの広角端から望遠端への変倍に伴う際の像面変動を補正するための移動軌跡を示している。尚、第１群と第３群は変倍及びフォーカスの際固定である。
【００３２】
本実施形態においては第４群を移動させて変倍に伴う像面変動の補正を行うと共に第４群を移動させてフォーカスを行うようにしている。特に同図の曲線４ａ，４ｂに示すように広角端から望遠端への変倍に際して物体側へ凸状の軌跡を有するように移動させている。これにより第３群と第４群との空間の有効利用を図りレンズ全長の短縮化を効果的に達成している。
【００３３】
本実施形態において、例えば望遠端において無限遠物体から近距離物体へフォーカスを行う場合は同図の直線４ｃに示すように第４群を前方へ繰り出すことにより行っている。
【００３４】
本発明において最も特徴的な点は、第２群Ｌ２を前述したレンズ形状の３枚の負レンズと１枚の正レンズの３群４枚のレンズより構成し、更に第３群Ｌ３を構成する１つの正レンズに非球面を用いている点にある。
【００３５】
高変倍比のズームレンズにおいて、小型でズーム全域に渡り良好に収差補正するためには、主に変倍作用を担うバリエータと呼ばれる該第２レンズ群（以下バリエータとも呼ぶ）での収差変動を小さく押さえる事が重要である。しかし、小型で高変倍のレンズ仕様を満たすためには変倍作用を担うバリエータに強い負の屈折力を設定する必要があり、収差補正には不利な条件となる。
【００３６】
従来のバリエータは例えば特開平４−８８３０９号公報実施例に見られるような負レンズ、負レンズと正レンズの接合レンズの２群３枚構成のレンズタイプが主流であった、このタイプのバリエータで高変倍比のズームレンズを実現しようとすると、バリエーターの負の屈折力が強くなるに伴い、バリエータ内の負レンズと正レンズの接合レンズの接合レンズ面の曲率がきつくなり、この接合レンズ面での高次収差の発生がズーム全域での収差変動を大きくする原因となっていた。
【００３７】
そこで本発明のズームレンズにおいては、変倍に大きく寄与する第２レンズ群Ｌ２を上記のようなレンズ構成にすることにより、各レンズのパワーの分担を減らしペッツバール和の低減を図っている。これによって、高変倍比にしてもズーミングによる像面の変動を少なくしている。更に該第２レンズ群から発散で入ってくる光束を受け止める第３レンズ群の正レンズに非球面を配することにより光学性能の向上も図っている。各実施形態においては、第３レンズ群Ｌ３の物体側のレンズ面に非球面を用いている。
【００３８】
又、各数値実施例では、第１群を物体側に凸面を向けたメニスカス状の負の第１１レンズ、両レンズ面が凸面の正レンズ、そしてメニスカス状の正レンズより構成している。又、第４群を両レンズ面が凹面の負レンズ、両レンズ面が凸面の正レンズ、そして両レンズ面が凸面の正レンズより構成している。
【００３９】
本実施形態では以上のようにレンズ構成を設定することにより、全変倍範囲にわたり、又、物体距離全体にわたり高い光学性能を得ている。
【００４０】
本発明のリヤーフォーカス式のズームレンズは、以上のような構成を満足することにより実現されるが、更に高変倍比を維持しつつ光学性能を良好に維持する為には、以下の条件のうち少なくとも１つを満足することが望ましい。
【００４１】
(ア-1)前記第２２レンズの像側のレンズ面の曲率半径をＲ２２２、前記第２３レンズの物体側のレンズ面の曲率半径をＲ２３１とするとき
【００４２】
【数５】
0004593716.tif 000002
【００４３】
なる条件を満足することである。
【００４４】
バリエータ（第２レンズ群）を物体側から順に、負レンズ、負レンズ、正レンズと負レンズの接合レンズとし、従来タイプ（特開平４−８８３０９号公報）のバリエータでは接合レンズであった物体側より２番目の負レンズと正レンズの間に空気層を設け空隙レンズ作用をもたせた。この空隙レンズを積極的に活用し条件式(1)を満足することで従来、接合レンズ面であったバリエータの物体側より２番目の負レンズと正レンズの向き合ったレンズ面の曲率を緩くすることを可能としている。このレンズ面の曲率を緩くすることにより、高次の球面収差や高次のコマ収差発生を少なくしている。
【００４５】
条件式(1)の下限を超えると、空隙レンズ自体で発生する高次球面収差が増大し収差補正困難となる、上限の０．５を超え１に近づくと空隙レンズ作用の効果が薄れる。
【００４６】
(ア-2)前記第２３レンズの材質のアッベ数をν２３、前記第２４レンズの材質のアッベ数をν２４とするとき
１５＜（ν２４−ν２３）＜３０…(2)
なる条件を満足することである。
【００４７】
(ア-3)  前記第２レンズ群の焦点距離をｆ２、前記第２３レンズと前記第２４レンズとの接合レンズ面の曲率半径をＲ２３４とするとき
【００４８】
【数６】
0004593716.tif 000003
【００４９】
なる条件を満足することである。
前述の条件式(1)で第２２レンズの像面側のレンズ面と第２３レンズの物体側のレンズ面の曲率を緩くしたため色収差が補正不足となる場合がある。そこでバリエータの色収差をバランスよく補正するために、バリエータの第２３レンズの後ろに第２４レンズを接合し、条件式(2)及び(3)を満足することで、ズーム全域に渡り色収差変動を少なく押さえ、良好な収差補正を可能にしている。
【００５０】
条件式(2)の下限を超えると色収差補正が不足になり、上限を超えると現存する硝材では屈折率の低いものとなり高次球面収差や高次コマ収差の発生が問題になる。
【００５１】
条件式(3)の下限を超えると色収差補正には有利となるが、この接合レンズ面での高次球面収差、コマ収差の発生が問題となる、下限を超えると色収差補正が不足となり、ズーム広角端から望遠端での色収差変動が困難となる。
【００５２】
上記条件を満たし第２レンズ群であるバリエータでの高次収差発生量と収差変動を少なく押さえることにより、第３レンズ群を１枚の非球面レンズ構成で収差補正を可能にしている。
【００５３】
次に本発明のリヤーフォーカス式のズームレンズを撮影光学系として用いたビデオカメラ（光学機器）の実施形態を図２９を用いて説明する。
【００５４】
図２９において、１０はビデオカメラ本体、１１は本発明のズームレンズによって構成された撮影光学系、１２は撮影光学系１１によって被写体像を受光するＣＣＤ等の撮像素子、１３は撮像素子１２が受光した被写体像を記録する記録手段、１４は不図示の表示素子に表示された被写体像を観察するためのファインダーである。上記表示素子は液晶パネル等によって構成され、撮像素子１２上に形成された被写体像が表示される。
【００５５】
このように本発明のズームレンズをビデオカメラ等の光学機器に適用することにより、小型で高い光学性能を有する光学機器を実現している。
【００５６】
以下に本発明の実施形態１乃至５と参考例１、２の数値例を記載する。
【００５７】
各数値実施例においてＲｉは物体側より順に第ｉ番目の面の曲率半径、Ｄｉは物体側より順に第ｉ番目の面と第（ｉ＋１）番目の面の間隔、Ｎｉとνｉは各々物体側より順に第ｉ番目の光学部材のガラスの屈折率とアッベ数である。
【００５８】
非球面形状は光軸方向にＸ軸、光軸と垂直方向にＨ軸、光の進行方向を正とし、Ｒを近軸曲率半径、各非球面係数をＫ，Ｂ，Ｃ，Ｄ，Ｅ，Ｆとしたとき、
【００５９】
【数７】
0004593716.tif 000004
【００６０】
なる式で表している。
【００６１】
また、例えば「ｅ−Ｚ」の表示は「１０-Z」を意味する。
【００６２】
数値実施例において最終の２つのレンズ面はフェースプレートやフィルター等のガラスブロックである。又、前述の各条件式と数値実施例における諸数値との関係を表１に示す。
【００６３】
0004593716.tif 000005
0004593716.tif 000006
【００６４】
【表１】
0004593716.tif 000007
【００６５】
0004593716.tif 000008
0004593716.tif 000009
【００６６】
【表２】
0004593716.tif 000010
【００６７】
参考例  数値実施例１
f=5.91〜57.79    fno=1:2.90〜3.01    2ω=59.2°〜6.02°
r1=68.270     d1=1.35       n1=1.84666    ν1=23.9
r2=27.077     d2=5.60       n2=1.48749    ν2=70.2
r3=-127.735   d3=0.20
r4=25.006     d4=3.35       n3=1.83481    ν3=42.7
r5=84.576     d5=可変
r6=39.094     d6=0.80       n4=1.88300    ν4=40.8
r7=6.603      d7=2.92
r8=-34.526    d8=0.70       n5=1.88300    ν5=40.8
r9=38.104     d9=0.60
r10=12.977    d10=2.70      n6=1.84666    ν6=23.9
r11=-36.129   d11=0.60      n7=1.83481    ν7=42.7
r12=35.704    d12=可変
r13=（絞り）  d13=2.20
＊r14=44.157    d14=1.80      n8=1.58313    ν8=59.4
r15=-28.817   d15=可変
r16=-37.417   d16=0.70      n9=1.84666    ν9=23.9
r17=18.709    d17=2.80      n10=1.67790   ν10=54.9
＊r18=-20.373   d18=0.50
r19=20.715    d19=1.80      n11=1.77250   ν11=49.6
r20=-92.038   d20=可変
r21=∞        d21=3.17      n12=1.51680   ν12=64.2
r22=∞
非球面係数
r14面  r=4.41567D+01  k=-3.79319D+01  B=1.28884D-05
C=-2.45252D-08  D=3.55930D-08  E=7.85890D-10  F=-2.43503D-10
r18面  r=-2.03734D+01  k=-1.30631D-01  B=3.41480D-06
C=1.83231D-07  D=-2.36926D-09  E=-2.35948D-11  F=3.24000D-13
【００６８】
【表３】
0004593716.tif 000011
【００６９】
数値実施例３
f=6.00〜58.83    fno=1:2.89〜3.00    2ω=58.2°〜6.4°
r1=70.307     d1=1.30       n1=1.84666    ν1=23.9
r2=26.658     d2=5.10       n2=1.48749    ν2=70.2
r3=-175.593   d3=0.20
r4=26.160     d4=3.15       n3=1.88300    ν3=40.8
r5=93.149     d5=可変
r6=30.946     d6=0.80       n4=1.88300    ν4=40.8
r7=6.518      d7=2.99
r8=-36.767    d8=0.70       n5=1.88300    ν5=40.8
r9=38.324     d9=0.60
r10=12.527    d10=2.70      n6=1.84666    ν6=23.9
r11=-65.030   d11=0.60      n7=1.83481    ν7=42.7
r12=29.726    d12=可変
r13=（絞り）  d13=2.20
＊r14=42.592    d14=1.80      n8=1.58313    ν8=59.4
r15=-24.975   d15=可変
r16=-40.384   d16=0.70      n9=1.84666    ν9=23.9
r17=18.252    d17=2.80      n10=1.67790   ν10=54.9
＊r18=-19.890   d18=0.50
r19=20.267    d19=1.80      n11=1.77250   ν11=49.6
r20=-199.591  d20=5.00
r21=∞        d21=3.17      n12=1.51680   ν12=64.2
r22=∞
非球面係数
r14面  r=4.25924D+01  k=-3.51255D+01  B=1.27254D-05
C=-2.17513D-07  D=2.57324D-08  E=1.69969D-09  F=-2.13852D-10
r18面  r=-1.98900D+01  k=-1.17923D-01  B=1.39270D-07
C=9.06409D-08  D=2.70260D-09  E=-1.94211D-10  F=1.65295D-12
【００７０】
【表４】
0004593716.tif 000012
【００７１】
参考例  数値実施例２
f=6.01〜59.01    fno=1:2.89〜2.89    2ω=59.8°〜6.4°
r1=64.967     d1=1.30       n1=1.84666    ν1=23.9
r2=29.027     d2=5.15       n2=1.48749    ν2=70.2
r3=-177.652   d3=0.20
r4=25.154     d4=3.05       n3=1.88481    ν3=42.7
r5=61.808     d5=可変
r6=34.762     d6=0.80       n4=1.88300    ν4=40.8
r7=6.432      d7=2.85
r8=-27.224    d8=0.70       n5=1.88300    ν5=40.8
r9=41.608     d9=0.60
r10=13.918    d10=2.70      n6=1.84666    ν6=23.9
r11=-28.983   d11=0.60      n7=1.83481    ν7=42.7
r12=53.374    d12=可変
r13=（絞り）  d13=2.20
＊r14=36.600    d14=1.80      n8=1.58313    ν8=59.4
r15=-28.083   d15=可変
r16=-44.150   d16=0.70      n9=1.84666    ν9=23.9
r17=20.380    d17=2.80      n10=1.67790   ν10=54.9
r18=-22.314   d18=0.50
r19=29.859    d19=1.95      n11=1.77250   ν11=49.6
r20=-94.191   d20=5.00
r21=∞        d21=3.17      n12=1.51680   ν12=64.2
r22=∞
非球面係数
r14面  r=3.66003D+01  k=-2.21824D+01  B=1.91217D-05
C=-9.28714D-07  D=3.22454D-08  E=1.31625D-09  F=-8.90730D-1
【００７２】
【表５】
0004593716.tif 000013
【００７３】
数値実施例４
f=6.01〜59.00    fno=1:2.89〜2.93    2ω=59.2°〜6.4°
r1=70.577     d1=1.30       n1=1.84666    ν1=23.9
r2=28.102     d2=5.25       n2=1.48749    ν2=70.2
r3=-135.912   d3=0.20
r4=25.710     d4=3.20       n3=1.83481    ν3=42.7
r5=85.671     d5=可変
r6=48.172     d6=0.80       n4=1.88300    ν4=40.8
r7=6.784      d7=2.81
r8=-34.302    d8=0.70       n5=1.88300    ν5=40.8
r9=41.261     d9=0.60
r10=13.312    d10=2.70      n6=1.84666    ν6=23.9
r11=-35.939   d11=0.60      n7=1.83481    ν7=42.7
r12=36.888    d12=可変
r13=（絞り）  d13=2.20
＊r14=41.177    d14=1.80      n8=1.58313    ν8=59.4
r15=-29.537   d15=可変
r16=-39.851   d16=0.70      n9=1.84666    ν9=23.9
r17=19.986    d17=2.80      n10=1.67790   ν10=54.9
＊r18=-20.589   d18=0.50
r19=22.582    d19=1.95      n11=1.77250   ν11=49.6
r20=-116.734  d20=5.00
r21=∞        d21=3.17      n12=1.51680   ν12=64.2
r22=∞
非球面係数
r14面  r=4.11772D+01  k=-3.06458D+01  B=1.49123D-05
C=-9.25985D-08  D=1.59599D-08  E=1.57343D-09  F=-1.66189D-10
r18面  r=-2.05892D+01  k=-1.61879D-01  B=2.46942D-07
C=2.33996D-07  D=-6.83658D-09  E=2.80776D-11  F=1.30665D-12
【００７４】
【表６】
0004593716.tif 000014
【００７５】
数値実施例５
f=6.03〜59.02    fno=1:2.87〜2.89    2ω=59.0°〜6.4°
r1=62.095     d1=1.30       n1=1.84666    ν1=23.9
r2=28.268     d2=4.70       n2=1.48749    ν2=70.2
r3=-228.219   d3=0.20
r4=25.507     d4=2.95       n3=1.83481    ν3=42.7
r5=67.193     d5=可変
r6=26.771     d6=0.80       n4=1.88300    ν4=40.8
r7=6.365      d7=3.15
r8=-23.692    d8=0.70       n5=1.88300    ν5=40.8
r9=74.962     d9=0.60
r10=13.790    d10=2.50      n6=1.84666    ν6=23.9
r11=-49.225   d11=0.60      n7=1.77250    ν7=49.6
r12=33.632    d12=可変
r13=（絞り）  d13=3.00
＊r14=41.241    d14=2.00      n8=1.58313    ν8=59.4
r15=-25.592   d15=可変
r16=-29.471   d16=0.70      n9=1.84666    ν9=23.9
r17=25.818    d17=2.85      n10=1.67790   ν10=54.9
r18=-17.943   d18=0.50
r19=28.075    d19=1.80      n11=1.77250   ν11=49.6
r20=-137.571  d20=5.00
r21=∞        d21=3.17      n12=1.51680   ν12=64.2
r22=∞
非球面係数
r14面  r=4.12412D+01  k=-2.09653D+01  B=-9.81742D-06
C=-2.33933D-07  D=7.49268D-09  E=2.16763D-09  F=-1.21645D-10
【００７６】
【表７】
0004593716.tif 000015
【００７７】
【表８】
0004593716.tif 000016
【００７８】
【発明の効果】
本発明によれば、レンズ系全体を小型化し、高変倍比であるにもかかわらず高い光学性能を有し、かつレンズの構成枚数を減らした簡易な構成のレンズ全長の短いズームレンズ及びそれを用いた光学機器を達成することができる。
【００７９】
この他、本発明によれば変倍比１０倍に及ぶ高変倍比でありながら、小型軽量の全変倍範囲に渡り良好に収差補正を行った高い光学性能を有したリアーフォーカス式ズームレンズを達成する事ができる。
【図面の簡単な説明】
【図１】  本発明の数値実施例１のレンズ断面図
【図２】  本発明の数値実施例１の広角端の収差図
【図３】  本発明の数値実施例１の中間の収差図
【図４】  本発明の数値実施例１の望遠端の収差図
【図５】  本発明の数値実施例２のレンズ断面図
【図６】  本発明の数値実施例２の広角端の収差図
【図７】  本発明の数値実施例２の中間の収差図
【図８】  本発明の数値実施例２の望遠端の収差図
【図９】  本発明の参考例１のレンズ断面図
【図１０】  本発明の参考例１の広角端の収差図
【図１１】  本発明の参考例１の中間の収差図
【図１２】  本発明の参考例１の望遠端の収差図
【図１３】  本発明の数値実施例３のレンズ断面図
【図１４】  本発明の数値実施例３の広角端の収差図
【図１５】  本発明の数値実施例３の中間の収差図
【図１６】  本発明の数値実施例３の望遠端の収差図
【図１７】  本発明の参考例２のレンズ断面図
【図１８】  本発明の参考例２の広角端の収差図
【図１９】  本発明の参考例２の中間の収差図
【図２０】  本発明の参考例２の望遠端の収差図
【図２１】  本発明の数値実施例４のレンズ断面図
【図２２】  本発明の数値実施例４の広角端の収差図
【図２３】  本発明の数値実施例４の中間の収差図
【図２４】  本発明の数値実施例４の望遠端の収差図
【図２５】  本発明の数値実施例５のレンズ断面図
【図２６】  本発明の数値実施例５の広角端の収差図
【図２７】  本発明の数値実施例５の中間の収差図
【図２８】  本発明の数値実施例５の望遠端の収差図
【図２９】  本発明の光学機器の要部概略図
【符号の説明】
Ｌ１  第１群
Ｌ２  第２群
Ｌ３  第３群
Ｌ４  第４群
ＳＰ  絞り
Ｇ  ガラスブロック
ＩＰ  像面
ｄ  ｄ線
ｇ  ｇ線
ΔＭ  メリディオナル像面
ΔＳ  サジタル像面
【図１】
0004593716.tif 000017
【図２】
0004593716.tif 000018
【図３】
0004593716.tif 000019
【図４】
0004593716.tif 000020
【図５】
0004593716.tif 000021
【図６】
0004593716.tif 000022
【図７】
0004593716.tif 000023
【図８】
0004593716.tif 000024
【図９】
0004593716.tif 000025
【図１０】
0004593716.tif 000026
【図１１】
0004593716.tif 000027
【図１２】
0004593716.tif 000028
【図１３】
0004593716.tif 000029
【図１４】
0004593716.tif 000030
【図１５】
0004593716.tif 000031
【図１６】
0004593716.tif 000032
【図１７】
0004593716.tif 000033
【図１８】
0004593716.tif 000034
【図１９】
0004593716.tif 000035
【図２０】
0004593716.tif 000036
【図２１】
0004593716.tif 000037
【図２２】
0004593716.tif 000038
【図２３】
0004593716.tif 000039
【図２４】
0004593716.tif 000040
【図２５】
0004593716.tif 000041
【図２６】
0004593716.tif 000042
【図２７】
0004593716.tif 000043
【図２８】
0004593716.tif 000044
【図２９】
0004593716.tif 000045